(57)【特許請求の範囲】
【請求項１】
前方開口の収納箱体に対してそれぞれに出し入れ自在とされた上下に複数段の抽斗のうちのいずれか一つの第１抽斗が、収納状態で後方に押し込まれ、その押し込みが解除されれば押出機構によって前方に押し出される構成とされた収納家具装置であって、
前記収納箱体の木質系材料から形成された両側板の各前端部における前記第１抽斗の前板後方側には、切欠状凹部がそれぞれに設けられ、これら切欠状凹部に沿う形状とされたカバー部材がそれぞれに設けられていることを特徴とする収納家具装置。
【請求項２】
請求項１において、
前記カバー部材は、止具によって前記側板の切欠状凹部に固定されており、該止具を覆うように上下に延びるパッキンが前記カバー部材の前面側に更に固定されていることを特徴とする収納家具装置。
【請求項３】
請求項２において、
前記カバー部材の前面には、前記止具の頭部を受け入れる凹所が設けられていることを特徴とする収納家具装置。
【請求項４】
請求項１乃至３のいずれか１項において、
前記カバー部材には、前記側板の一側面に当接される縁カバー部が更に設けられていることを特徴とする収納家具装置。
【発明の詳細な説明】
【技術分野】
【０００１】
本発明は、前方開口の収納箱体に対してそれぞれに出し入れ自在とされた上下に複数段の抽斗を備えた収納家具装置に関する。
【背景技術】
【０００２】
従来より、収納状態で後方に押し込まれ、その押し込みが解除されれば押出機構によって前方に押し出されるいわゆるプッシュオープン式の抽斗を備えた収納家具が知られている。このような収納家具においては、プッシュオープン式の抽斗の前板と収納箱の前面（側板の前端面など）との間に押し込みのための空間を設ける必要があった。また、このようなプッシュオープン式の抽斗と非プッシュオープン式の抽斗とを、使い勝手やデザイン上等の種々の観点から上下に積み重ねるように設ける場合があった。このような場合等においては、収納状態におけるプッシュオープン式の抽斗の前板を、収納状態における他の抽斗の前板よりも前方位置とすることで、上記空間を確保することも考えられるが、見栄えが悪くなるという問題があった。
例えば、下記特許文献１では、非プッシュオープン式の第一の収納ユニットと、プッシュオープン式の第二の収納ユニットと、を隣接させて組み合わせた収納家具が提案されている。この収納家具は、上記空間を確保するように、第二の収納ユニットの第二の収納庫の前面を、第一の収納ユニットの第一の収納庫の前面よりも少許奥方に位置させ、これら両ユニットの接合目地に形成された段差部に、目地部材を設けた構造とされている。
【先行技術文献】
【特許文献】
【０００３】
【特許文献１】特開２０１０−１４２５４４号公報
【発明の概要】
【発明が解決しようとする課題】
【０００４】
しかしながら、上記特許文献１に記載された収納家具では、各抽斗を出し入れ自在に収納する収納庫自体を上下に分割し、これらを積み重ねる必要があり、更なる改善が望まれる。
【０００５】
本発明は、上記実情に鑑みてなされたものであり、押出機構によって押し出される抽斗の押し込み幅を確保しながらも簡易な構造で見栄えを向上し得る収納家具装置を提供することを目的としている。
【課題を解決するための手段】
【０００６】
上記目的を達成するために、本発明に係る収納家具装置は、前方開口の収納箱体に対してそれぞれに出し入れ自在とされた上下に複数段の抽斗のうちのいずれか一つの第１抽斗が、収納状態で後方に押し込まれ、その押し込みが解除されれば押出機構によって前方に押し出される構成とされた収納家具装置であって、前記収納箱体の木質系材料から形成された両側板の各前端部における前記第１抽斗の前板後方側には、切欠状凹部がそれぞれに設けられ、これら切欠状凹部に沿う形状とされたカバー部材がそれぞれに設けられていることを特徴とする。
【０００７】
本発明においては、前記カバー部材を、止具によって前記側板の切欠状凹部に固定し、該止具を覆うように上下に延びるパッキンを前記カバー部材の前面側に更に固定するようにしてもよい。
また、本発明においては、前記カバー部材の前面に、前記止具の頭部を受け入れる凹所を設けるようにしてもよい。
また、本発明においては、前記カバー部材に、前記側板の一側面に当接される縁カバー部を更に設けるようにしてもよい。
【発明の効果】
【０００８】
本発明に係る収納家具装置は、上述のような構成としたことで、押出機構によって押し出される抽斗の押し込み幅を確保しながらも簡易な構造で見栄えを向上させることができる。
【図面の簡単な説明】
【０００９】
【図１】（ａ）、（ｂ）は、いずれも本発明の一実施形態に係る収納家具装置の一例を模式的に示し、図４におけるＸ部に対応させた一部を省略した一部破断概略側面図である。
【図２】（ａ）、（ｂ）は、いずれも同収納家具装置が備える側板の一例を模式的に示し、（ａ）は、一部を省略した一部破断概略分解斜視図、（ｂ）は、一部破断概略分解斜視図である。
【図３】同収納家具装置を模式的に示し、図４におけるＹ−Ｙ線矢視に対応させた一部省略概略横断面図である。
【図４】同収納家具装置を模式的に示す概略側面図である
【図５】同収納家具装置を組み込んだ厨房家具装置の一例を模式的に示す概略斜視図である。
【発明を実施するための形態】
【００１０】
以下に本発明の実施の形態について、図面に基づいて説明する。
図１〜図５は、本実施形態に係る収納家具装置の一例を模式的に示す図である。
なお、一部の図では、他図に付している詳細な符号の一部を省略している。
また、以下の実施形態では、収納家具装置の抽斗を出し入れする側において該収納家具装置に対面した状態を基準として、手前側を前方、その逆側を後方とし、また、その状態を基準として、上下方向及び左右方向等の方向を原則的に説明する。
【００１１】
本実施形態に係る収納家具装置１は、図３及び図４に示すように、前方に開口する収納箱体１０と、この収納箱体１０に対してそれぞれに出し入れ自在とされた上下に複数段（図例では、三段）の抽斗３０，４０，５０と、を備えている。
本実施形態では、図５に示すように、収納家具装置１を収納家具本体１として厨房家具装置Ａに組み込んだ例を示している。
厨房家具装置Ａは、この収納家具本体１を含み、横並び状に設けられた複数の収納家具本体１，２，３と、これら収納家具本体１，２，３の上面側を覆う調理台天板（カウンター）としての天板４と、を備えている。この天板４には、加熱機器としてのコンロ５及び水槽（シンク）６が組み込まれている。なお、水槽６を天板４に一体的に形成した態様としてもよい。
【００１２】
本実施形態では、収納家具本体１は、その上面側部位のコンロ５を組み込んだ天板４とともに、コンロ付調理台を構成する。また、収納家具本体２は、その上面側部位の水槽６を組み込んだ天板４とともに、流し台を構成する。また、収納家具本体３は、その上面側部位の天板４とともに、作業台を構成する。
また、図例では、厨房家具装置Ａは、天板４の後端部から上方に向けて立ち上がるように設けられた立上壁部（バックガード）８を備えている。また、この立上壁部８に、水槽６に臨むように水栓金具７を設けている。また、厨房家具装置Ａは、その左右両側に、エンドパネル（サイドパネル）９，９を備えている。
【００１３】
流し台を構成する収納家具本体２は、左右の側板や底板、背板等を有し、その上面側に天板４が載置されて閉塞されて、前方に開口する箱状とされた収納箱体を備えている。また、収納家具本体２は、この収納箱体の前方開口を覆う上下に複数段（図例では、収納家具本体１と略同様、三段）の前板２ａ，２ｃ，２ｅを備えている。これら前板２ａ，２ｃ，２ｅは、収納家具本体２の収納箱体に対して出し入れ自在とされた上下に複数段の抽斗の前板２ａ，２ｃ，２ｅとしてもよい。また、この収納家具本体２の最上段の前板２ａ及び中段の前板２ｃの各上端部には、前方に開口する縦断面略コ字状（略Ｕ字状または略Ｃ字状）とされた把手２ｂ，２ｄがそれぞれに設けられている。これら把手２ｂ，２ｄは、それぞれの前板２ａ，２ｃの左右方向の全幅に亘ってライン状に設けられている。
【００１４】
なお、最上段の前板２ａは、その後方側の内方空間が水槽６の収容空間となるため、開閉不能とされたものとしてもよく、または、下端部を回動支点として手前側等に開放され、包丁や俎板等を収容する薄型状の開き収納の前板２ａとしてもよい。
また、この収納家具本体２の前面下端部には、図示は省略しているが、後記する収納家具本体１と同様の蹴込み空間が形成されている（図４も参照）。また、この蹴込み空間を形成するように、収納家具本体２の収納箱体の左右の側板の前端部下端には、蹴込み用切欠状部が形成され、最下段の前板２ｅは、該蹴込み用切欠状部に対応した構成とされている（図４も参照）。
【００１５】
作業台を構成する収納家具本体３は、上記した収納家具本体２と略同様の収納箱体を備えている。また、収納家具本体３は、上記した収納家具本体２と略同様、上下に複数段（図例では、収納家具本体１と略同様、三段）の前板３ａ，３ｃ，３ｅを備えている。これら前板３ａ，３ｃ，３ｅは、収納家具本体３の収納箱体に対して出し入れ自在とされた上下に複数段の抽斗の前板３ａ，３ｃ，３ｅとしてもよい。また、この収納家具本体３の最上段の前板３ａ及び中段の前板３ｃの各上端部には、上記した収納家具本体２と略同様、ライン状の把手３ｂ，３ｄがそれぞれに設けられている。また、上記した収納家具本体２と略同様、収納家具本体３の前面下端部には、蹴込み空間が形成されている。また、上記した収納家具本体２と略同様、この収納家具本体３の収納箱体の左右の側板の前端部下端には、蹴込み用切欠状部が形成され、最下段の前板３ｅは、該蹴込み用切欠状部に対応した構成とされている。
【００１６】
コンロ付調理台を構成する本実施形態に係る収納家具装置１としての収納家具本体１は、上記した各収納家具本体２，３と略同様、その上面側に天板４が載置されて閉塞されて、前方に開口する箱状とされた収納箱体１０を備えている。
収納箱体１０は、図３及び図４に示すように、左右の側板（両側板）１１，１１と底板１４と背板１５とを備えている。これら左右の側板１１，１１、底板１４及び背板１５のうちの少なくとも左右の側板１１，１１は、木質系材料からなる板状の基材に、合成樹脂シートや突板等の表面化粧シートを貼着した構成とされている。このような基材としては、合板やＬＶＬ（単板積層材）等の木質積層板や、パーティクルボード等の木質ボード、インシュレーションボードやＭＤＦ（中密度繊維板）等の木質繊維板、木質集成板などが挙げられる。
【００１７】
また、この収納箱体１０の内方空間の上側領域の後側領域には、コンロ５の機器本体を収容する収容空間を区画する縦仕切板１６及び横仕切板１７が設けられている。また、コンロ５の機器本体の収容空間の手前側領域には、コンロ５等の機器操作部１８とこの機器操作部１８に接続されてコンロ５等を制御する各種回路等を内蔵した制御部１９とが設けられている。
機器操作部１８は、図４及び図５に示すように、左右方向に長尺で、比較的に薄型の略直方体状とされ、上面が操作面とされている。また、この機器操作部１８は、天板４の直下において、収納家具本体１の左右方向の大半部分に亘って設けられており、他の収納家具本体２，３の最上段の前板２ａ，３ａの把手２ｂ，３ｂの上下位置と略一致するようにライン状に設けられている。図例では、収納家具本体１の最上段の抽斗３０の前板３１の左右寸法よりも短い寸法とされた機器操作部１８を例示しており、その左右両側の天板４と前板３１との間にスペーサー状のカバーを設けた例を示している。
【００１８】
また、この機器操作部１８は、前後方向に出没自在（進退自在）とされており、没入位置（後退位置）において後方に少許押し込まれ、その押し込みが解除されれば、プッシュオープン機構等の突出機構によって前方に突出されて突出位置となる。また、この機器操作部１８は、この突出位置においてその上面の操作面の操作が可能となる構成とされている。また、この機器操作部１８は、図４に示すように、没入位置では、その前端面が、収納状態とされた各抽斗３０，４０，５０の前面と略同一平面状となるように構成されている。
【００１９】
また、収納箱体１０の左右の側板１１，１１の前端部下端には、図４に示すように、蹴込み空間を形成するように蹴込み用切欠状部が形成されている。なお、このような蹴込み用切欠状部を左右の側板１１，１１に設けた態様に代えて、収納箱体１０の下方側に台輪等を設けた態様としてもよい。また、上記した他の収納家具本体２，３も同様、各収納箱体の下方側に台輪等を設けた態様としてもよい。
また、収納箱体１０の左右の側板１１，１１の互いに向き合う各内側面１１ｂ，１１ｂには、各抽斗３０，４０，５０を収納箱体１０に対して出し入れ自在に支持するレール部材３５，３５，４５，４５，５５，５５がそれぞれに設けられている（図３も参照）。
【００２０】
収納家具本体１は、これら上下の複数段の抽斗３０，４０，５０のうちのいずれか一つの第１抽斗３０が、収納状態（格納状態）で後方に押し込まれ、その押し込みが解除されれば押出機構３６によって前方に押し出されるいわゆるプッシュオープン式の抽斗とされている。本実施形態では、最上段に設けられた第１抽斗としての上段抽斗３０と、この上段抽斗３０の下方側に設けられた中段抽斗４０と、この中段抽斗４０の下方側に設けられた最下段の下段抽斗５０と、を備えた収納家具本体１を例示している。また、プッシュオープン式の上段抽斗３０以外の他の中段抽斗４０及び下段抽斗５０は、押出機構等によって押し出されない非プッシュオープン式の抽斗とされている。
【００２１】
また、本実施形態では、上段抽斗３０を、コンロ５の機器本体の収容空間の手前側に配設し、その前後寸法を、中段抽斗４０及び下段抽斗５０よりも小さい寸法としている。
各抽斗３０，４０，５０は、それぞれが収納状態で、収納箱体１０の前方開口を覆う前板３１，４１，５１を備えている。また、各抽斗３０，４０，５０は、物品等が載置される底板部３２，４２，５２と、背板部３３，４３，５３と、左右の側板部３４，３４，４４，４４，５４，５４と、をそれぞれに備えた上方開口の箱状とされている。各抽斗３０，４０，５０のそれぞれの左右の側板部３４，３４，４４，４４，５４，５４に、レール部材３５，３５，４５，４５，５５，５５がそれぞれスライド自在に係合し、各抽斗３０，４０，５０が収納箱体１０に対して出し入れ自在とされている。なお、各抽斗３０，４０，５０の背板部３３，４３，５３や左右の側板部３４，３４，４４，４４，５４，５４は、板状とされたものに限られず、棒状部材や線材等によって構成されたものとしてもよい。
【００２２】
中段抽斗４０の前板４１の上端部には、図４及び図５に示すように、上記した各収納家具本体２，３の中段の前板２ｃ，３ｃの上端部に設けられた把手２ｄ，３ｄと略同様の把手４１ａがライン状に設けられている。
下段抽斗５０の前板５１は、収納家具本体１の前面下端部に設けられた蹴込み空間に応じた形状とされ、その下端側に後方側に後退した後退前板部５１ａを備えている。なお、この下段抽斗５０は、後退前板部５１ａの上方側の前板５１の後方側に手掛けスペースが設けられたものとしてもよい。または、この下段抽斗５０の前板５１を含み、他の収納家具本体２，３の最下段の各前板２ｅ，３ｅのそれぞれの上端部に、上記同様のライン状の把手を設けるようにしてもよい。
【００２３】
上段抽斗３０の前板３１は、図４に示すように、その厚さ寸法が他の抽斗４０，５０の前板４１，５１の厚さ寸法と略同寸法とされている。また、この前板３１は、各抽斗３０，４０，５０が収納状態で、その前面が他の抽斗４０，５０の前板４１，５１の前面と略同一平面状となるように配置される。また、この上段抽斗３０は、本実施形態では、プッシュオープン式とされているため、把手等の手掛部が設けられていない。このような構成とすることで、図５に示すように、当該収納家具本体１の前面側上端部に設けられた機器操作部１８と、他の収納家具本体２，３の最上段の前板２ａ，３ａの把手２ｂ，３ｂと、が左右に一列状となり、見栄えを向上させることができる。
【００２４】
この上段抽斗３０を押し出す押出機構３６としては、公知のいわゆるプッシュオープン機構（飛出機構）の採用が可能であり、図例では、上段抽斗３０の背板部３３の後方側に押出機構３６を配設した例を示している。
この押出機構３６は、図１に示すように、収納箱体１０の適所に固定される押出本体３７と、この押出本体３７に対して前後に出没自在（進退自在）とされ、上段抽斗３０の背板部３３に係合するロッド状またはアーム状の押出部３８と、を備えている。また、押出機構３６は、この押出部３８を前方に付勢する圧縮コイルばね等のばね３９を備えている。また、押出機構３６には、ばね３９の付勢に抗して押出部３８を没入位置（後退位置、ロック位置）で規制（ロック）し、該ロック位置から後方に押し込まれてロック解除位置とされた押出部３８の押し込みが解除されれば、ロックを解除するラッチ等のロック手段が設けられている。このロック手段は、ロックとその解除とを、押出部３８が後方に押し込まれる毎に交互に繰り返す構成とされたものとしてもよい。また、押出部３８は、図１（ｂ）に示すように、そのロックが解除されれば、ばね３９の付勢によって前方に押し出されて突出位置（前進位置）とされる。
【００２５】
この押出機構３６は、図１（ａ）の二点鎖線で示すように、上段抽斗３０が収納状態で、押出部３８が上記ロック位置とされ、その前端が上段抽斗３０の背板部３３に当接または背板部３３に設けられた係合部に係合する。また、図１（ａ）に示すように、収納状態とされた上段抽斗３０が後方に押し込まれれば、ロック位置とされた押出部３８がロック解除位置に押し込まれる。この状態で、上段抽斗３０の押し込みを解除すれば、ロックが解除されて押出部３８が前方に押し出され、これにより、上段抽斗３０が前方に押し出される構成とされている。
【００２６】
なお、上記のように押出機構３６によって押し出された上段抽斗３０は、収納状態から完全に引き出された（押し出された）状態となるものに限られず、半開き状に引き出された状態となるものとしてもよい。また、ロック位置からロック解除位置までの押出部３８の変位量（押し込み幅）は、２ｍｍ〜２０ｍｍ程度とされたものとしてもよい。また、押出機構３６としては、図例のようなものに限られず、例えば、上段抽斗３０をスライド自在に支持するレール部材３５，３５等に設けられたものや、上段抽斗３０の前板３１や底板部３２、側板部３４等に係合する押出部３８を備えたものとしてもよい。また、押出部３８としては、軸方向（長手方向）を前後方向に沿わせて出没自在とされたものに限られず、一端部を回動支点として回動することで、上段抽斗３０を前方に押し出すような構成とされたものとしてもよい。また、収納状態とされた上段抽斗３０を収納位置で規制するキャッチ部等を適所に設けるようにしてもよい。
【００２７】
また、収納家具本体１の左右の側板１１，１１の各前端部における上段抽斗３０の前板３１後方側には、切欠状凹部１２，１２がそれぞれに設けられ、これら切欠状凹部１２，１２に沿う形状とされたカバー部材２０，２０がそれぞれに設けられている。
本実施形態では、これら切欠状凹部１２，１２を、前板３１の後方側に加えて、機器操作部１８が設けられた部位を含み、前板３１の下端後方側部位から各側板１１，１１のそれぞれの上端に至るように設けている（図４参照）。
【００２８】
各側板１１，１１の切欠状凹部１２，１２は、図２（ａ）及び図４に示すように、各側板１１，１１の前端部上端側を切り欠くようにして形成されており、これら切欠状凹部１２，１２によって各側板１１，１１の前端部が段差状とされている。つまり、各側板１１，１１には、切欠状凹部１２，１２が設けられていない部位の前端面１１ａ，１１ａと切欠状凹部１２，１２が設けられた部位の前方に向く前端面（凹底面）１２ａ，１２ａとの境界に、上方に向く段壁面１２ｂ，１２ｂが形成されている。これら切欠状凹部１２，１２は、上述のように基材の外周表面（少なくとも両側面及び前端面）に表面化粧シートが貼着された略矩形平板状の化粧板を、切削機械等で加工することで形成するようにしてもよい。
【００２９】
各カバー部材２０，２０は、略同様の構成とされ、各切欠状凹部１２，１２の前端面１２ａ，１２ａをそれぞれに覆う前端カバー部２１，２１と、各切欠状凹部１２，１２の段壁面１２ｂ，１２ｂをそれぞれに覆う段壁カバー部２４，２４と、をそれぞれに備えている。本実施形態では、各カバー部材２０，２０を、これら前端カバー部２１，２１と段壁カバー部２４，２４とによって、側面視して略Ｌ字状としている。
これらカバー部材２０，２０の前端カバー部２１，２１及び段壁カバー部２４，２４の幅寸法（左右方向に沿う寸法）は、各側板１１，１１の厚さ寸法（左右方向に沿う寸法）と略同寸法とされている。
【００３０】
また、これらカバー部材２０，２０の前端カバー部２１，２１の厚さ寸法（前後方向に沿う寸法）及び段壁カバー部２４，２４の厚さ寸法（上下方向に沿う寸法）は、０．５ｍｍ〜数ｍｍ程度の比較的に薄い寸法とされている。
これらカバー部材２０，２０の前端カバー部２１，２１は、各側板１１，１１の切欠状凹部１２，１２に固定された状態で、各前面が、切欠状凹部１２，１２が設けられていない部位の前端面１１ａ，１１ａよりも後方位置となるように形成されている。
また、これらカバー部材２０，２０の段壁カバー部２４，２４は、各側板１１，１１の切欠状凹部１２，１２に固定された状態で、各前端面が、切欠状凹部１２，１２が設けられていない部位の前端面１１ａ，１１ａと略同一平面状となるように形成されている。
【００３１】
また、これらカバー部材２０，２０は、図１及び図３に示すように、タッカーや釘、ねじ等の止具２９によって各側板１１，１１の切欠状凹部１２，１２に固定されている。
また、本実施形態では、これらカバー部材２０，２０の前面に、止具２９，２９の頭部を受け入れる凹所２２，２２をそれぞれに設けている。
本実施形態では、図２に示すように、各カバー部材２０，２０の前端カバー部２１，２１の上下方向に沿って複数箇所に凹所２２，２２，２２，２２をそれぞれに設けている。図例では、各前端カバー部２１，２１の上端部及び下端部近傍部位の前面に、前方に開口する凹所２２，２２，２２，２２をそれぞれに設けた例を示している。
【００３２】
また、本実施形態では、各カバー部材２０，２０に、各側板１１，１１の一側面１１ｂ，１１ｂに当接される縁カバー部２３，２３，２５，２５を設けている。本実施形態では、これら縁カバー部２３，２３，２５，２５は、各側板１１，１１の互いに対向する内側面１１ｂ，１１ｂに当接される構成とされている。
また、本実施形態では、各カバー部材２０，２０の前端カバー部２１，２１の内方側（収納家具本体１の左右方向中心側）縁部に連なるように、前端縁カバー部２３，２３を縁カバー部として設けている。また、各カバー部材２０，２０の段壁カバー部２４，２４の内方側縁部に連なるように、段壁縁カバー部２５，２５を縁カバー部として設けている。
【００３３】
なお、本実施形態では、図５に示すように、収納家具本体１の左右両側には、エンドパネル９や他の収納家具本体３が配設されて、左右の側板１１，１１の外方側（収納家具本体１の左右方向外方側）の側面が覆われる。そのため、縁カバー部２３，２３，２５，２５を、各側板１１，１１の内側面１１ｂ，１１ｂに当接される構成とした例を示しているが、このような態様に代えて、または加えて、各側板１１，１１の外方側の側面に当接される縁カバー部を設けた態様としてもよい。
【００３４】
また、図例では、各カバー部材２０，２０の前端縁カバー部２３，２３を、各前端カバー部２１，２１の上下の全長に亘って設けずに、間隔を空けて複数箇所に設けた例を示している。これら前端縁カバー部２３，２３は、上段抽斗３０のレール部材３５，３５や制御部１９の固定金具等と干渉しないように、各前端カバー部２１，２１の上下に間隔を空けて複数箇所に設けられている。なお、他の部材と干渉しない場合等においては、各カバー部材２０，２０の前端縁カバー部２３，２３を、各前端カバー部２１，２１の上下の全長に亘って設けるようにしてもよい。
また、これらカバー部材２０，２０は、合成樹脂系材料または金属系材料等の非木質系材料から上記形状に一体的に形成されたものとしてもよい。合成樹脂系材料としては、ＰＰ（ポリプロピレン）樹脂や、ＡＢＳ（アクリロニトリルブタジエンスチレン）樹脂、ＰＥ（ポリエチレン）樹脂、ＰＥＴ（ポリエチレンテレフタレート）樹脂、ＰＣ（ポリカーボネート）樹脂、ＰＰＳ（ポリフェニレンサルファイド）樹脂等としてもよい。金属系材料としては、アルミニウムやアルミニウム合金、ステンレス、炭素鋼等としてもよい。
【００３５】
また、本実施形態では、各カバー部材２０，２０の前面側に、止具２９，２９を覆うように上下に延びるパッキン２６，２６を固定している。
これらパッキン２６，２６は、各カバー部材２０，２０の前端カバー部２１，２１の前面側に固定されている。なお、これらパッキン２６，２６と各カバー部材２０，２０とは、粘着テープ等の粘着材や接着剤等によって固定するようにしてもよい。
また、これらパッキン２６，２６の上下寸法は、各カバー部材２０，２０の前端カバー部２１，２１の上下寸法と略同寸法とされ、各前端カバー部２１，２１の上下の略全長に亘って固定されている。なお、このような態様に代えて、各パッキン２６，２６を、上段抽斗３０の前板３１の上下寸法に応じた上下寸法とし、各前端カバー部２１，２１の前板３１の後方側に対応する部位に固定されるものとしてもよい。
また、これらパッキン２６，２６の幅寸法（左右方向に沿う寸法）は、各カバー部材２０，２０の前端カバー部２１，２１の幅寸法よりも小さい寸法とされている。図例では、パッキン２６，２６の幅寸法（左右方向に沿う寸法）を、各カバー部材２０，２０の前端カバー部２１，２１の幅寸法の概ね１／２の幅寸法とした例を示している。
【００３６】
また、これらパッキン２６，２６は、図３に示すように、各カバー部材２０，２０に固定される薄平板状の固定片部２７，２７と、上段抽斗３０の前板３１の両側端部後面に弾性的に当接され、前後方向に圧縮変形される弾性片部２８，２８と、をそれぞれに備えている。
本実施形態では、これらパッキン２６，２６の弾性片部２８，２８を、薄平板状で、前方側に凸の凸湾曲形状としている。また、本実施形態では、これらパッキン２６，２６の弾性片部２８，２８を、各幅方向一端部（図例では内方側端部）のみが、各固定片部２７，２７の幅方向一端部（図例では内方側端部）に連なるように接合された片持ち状のものとしている。このような構成とすることで、これら弾性片部２８，２８を、比較的に小さい外力でこれらの弾性変形を伴い、前後方向に圧縮させることができる。
【００３７】
これらパッキン２６，２６は、図３及び図４に示すように、各弾性片部２８，２８が弾性変形していない状態（自然状態）または僅かに弾性変形した状態で、各弾性片部２８，２８が収納状態とされた上段抽斗３０の前板３１の両側端部後面に当接するように形成されている。
また、これらパッキン２６，２６は、図１（ａ）に示すように、収納状態とされた上段抽斗３０の押し込みに伴う押出機構３６の押出部３８のロック位置からロック解除位置への変位が可能なように、前後方向に圧縮可能な構成とされている（図３の二点鎖線も参照）。
上記した各カバー部材２０，２０の各前端カバー部２１，２１の前面と各側板１１，１１の切欠状凹部１２，１２が設けられていない部位の前端面１１ａ，１１ａとの前後方向に沿う寸法（段差寸法）は、収納状態とされた各抽斗３０，４０，５０の前面が略同一平面状となるように、また、圧縮変形されたパッキン２６，２６の厚さ寸法（前後寸法）等を加味し、上記のように変位する押出部３８のロック位置からロック解除位置への変位が少なくとも可能な寸法とされている。
【００３８】
また、各側板１１，１１の切欠状凹部１２，１２が設けられていない部位の各前端面１１ａ，１１ａには、図４に示すように、上下に延びるパッキン１３，１３がそれぞれに固定されている。
これらパッキン１３，１３は、各側板１１，１１の切欠状凹部１２，１２が設けられていない部位の各前端面１１ａ，１１ａに固定される固定片部と、該固定片部に連なるように設けられ、前後方向に圧縮変形される弾性片部と、を備えている。
また、これらパッキン１３，１３の各弾性片部が弾性変形していない状態（自然状態）における前後寸法は、上記した各カバー部材２０，２０の前面側に固定されたパッキン２６，２６の自然状態における前後寸法よりも小さい寸法とされている。これらパッキン１３，１３は、各弾性片部が自然状態または僅かに弾性変形した状態で、各弾性片部が収納状態とされた中段抽斗４０及び下段抽斗５０の各前板４１，５１の両側端部後面に当接するように形成されている。また、各パッキン１３，１３，２６，２６は、収納状態とされた各抽斗３０，４０，５０に当接された状態で、各抽斗３０，４０，５０の前面が略同一平面状となるように形成されている。
なお、上記した各パッキン１３，１３，２６，２６は、比較的に軟質で弾性を有したゴムや軟質合成樹脂等のエラストマー系樹脂材料から上記形状に一体的に形成されたものとしてもよい。
【００３９】
上記構成とされた本実施形態に係る収納家具本体（収納家具装置）１によれば、押出機構３６によって押し出される上段抽斗３０の押し込み幅を確保しながらも簡易な構造で見栄えを向上させることができる。
つまり、収納箱体１０の両側板１１，１１のそれぞれに設けられた切欠状凹部１２，１２に沿う形状とされたカバー部材２０，２０をそれぞれに設けている。従って、これら両側板１１，１１のカバー部材２０，２０の前面側において第１抽斗（上段抽斗）３０の押し込み幅を確保することができる。これにより、収納状態における上段抽斗３０の前板３１と収納状態における他の抽斗４０，５０の前板４１，５１との間に段差を設けるような必要がなく、各前板３１，４１，５１を前後方向で略一致するように配置することができ、見栄えを向上させることができる。また、収納箱体１０を上下に分割して積み重ねるような必要がなく、構造の簡略化を図ることができる。また、木質系材料から形成された両側板１１，１１に、上段抽斗３０の押し込み幅を確保するために単に切欠を設けることも考えられるが、この場合には、木口面が露出するため、見栄えが悪くなる。また、このような木口面を覆うシート状のエッジ材を貼着することも考えられるが、このようなエッジ材は段差面（段壁面）等に貼着し難く、生産性が悪くなることも考えられる。本実施形態によれば、両側板１１，１１に設けられた切欠状凹部１２，１２に沿う形状とされたカバー部材２０，２０を設けているので、上段抽斗３０の押し込み幅を確保しながらも簡易な構造で見栄えを向上させることができる。
【００４０】
また、本実施形態では、各カバー部材２０，２０を、止具２９，２９によって各側板１１，１１の切欠状凹部１２，１２に固定し、止具２９，２９を覆うように上下に延びるパッキン２６，２６を各カバー部材２０，２０の前面側に固定している。従って、各カバー部材２０，２０を止具２９，２９によって各側板１１，１１に比較的に強固に固定することができる。また、止具２９，２９が各パッキン２６，２６によって覆われるので、見栄えを損なうことがない。また、例えば、各側板１１，１１に設けた切欠に直接的にパッキン２６，２６を固定することも考えられるが、このようなパッキン２６，２６は粘着テープ等によって固定されることが多いため、木質系材料からなる側板の木口面に貼着し難く、または剥がれ易くなることも考えられる。本実施形態によれば、各カバー部材２０，２０に各パッキン２６，２６を固定することができるので、各パッキン２６，２６を粘着テープ等によって固定する場合にも比較的に強固に固定することができる。
また、両側板１１，１１のカバー部材２０，２０の前面側に設けられたパッキン２６，２６によって上段抽斗３０の前板３１との衝撃を緩和することができ、また、塵埃や虫等の侵入を抑制することができる。
【００４１】
また、本実施形態では、各カバー部材２０，２０の前面に、止具２９，２９の頭部を受け入れる凹所２２，２２をそれぞれに設けている。従って、各カバー部材２０，２０の凹所２２，２２に止具２９，２９の頭部を収容させることができるので、それぞれの前面側に固定されるパッキン２６，２６の浮き等を防止することができる。なお、各カバー部材２０，２０に、このような凹所２２，２２を設けない態様としてもよい。また、各カバー部材２０，２０の前面側に、パッキン２６，２６を設けない態様としてもよい。この場合は、上記した各カバー部材２０，２０の各前端カバー部２１，２１の前面と各側板１１，１１の切欠状凹部１２，１２が設けられていない部位の前端面１１ａ，１１ａとの前後方向に沿う寸法（段差寸法）を、上記のように変位する押出部３８のロック位置からロック解除位置への変位が少なくとも可能な寸法としてもよい。
【００４２】
また、本実施形態では、各カバー部材２０，２０に、各側板１１，１１の一側面（内側面）１１ｂ，１１ｂに当接される縁カバー部２３，２３，２５，２５を設けているので、見栄えをより向上させることができる。つまり、表面化粧シート等が両側面等に貼着された側板１１，１１に、切削機械等によって切欠状凹部１２，１２を設けた場合には、切欠状凹部１２，１２の縁部に欠けや割れ等のチッピングが生じることが考えられる。本実施形態によれば、各カバー部材２０，２０の縁カバー部２３，２３，２５，２５によって、各側板１１，１１の切欠状凹部１２，１２が設けられた部位の前端縁を覆うことができるので、このようなチッピングが生じた場合にも目立ち難くすることができ、見栄えをより向上させることができる。
また、縁カバー部２３，２３，２５，２５を、各側板１１，１１の内側面１１ｂ，１１ｂに当接させて各カバー部材２０，２０を、それぞれの側板１１，１１に固定することもでき、カバー部材２０，２０を固定する際における位置決め作業性を向上させることができる。なお、各カバー部材２０，２０に、このような縁カバー部２３，２３，２５，２５を設けない態様としてもよい。
【００４３】
なお、本実施形態では、収納家具本体１の上面側を、他の収納家具本体２，３の上面側をも覆う一枚の天板４によって覆う態様とした例を示しているが、このような態様に限られず、収納家具本体１専用の天板を備えたものとしてもよい。
また、本実施形態では、収納家具本体１を、コンロ付調理台を構成するものとした例を示しているが、他の流し台や作業台を構成するものとしてもよい。
また、本実施形態では、収納家具装置１を収納家具本体１として厨房家具装置Ａに組み込んだ例を示しているが、このような態様に限られない。本実施形態に係る収納家具装置１を、例えば、住居等の建物のリビングやダイニング等の居室空間や、収納空間、洗面室、玄関等に設置されるものとしてもよい。
【００４４】
また、本実施形態では、上下に複数段の抽斗３０，４０，５０のうちの上段抽斗３０をプッシュオープン式の抽斗とした例を示しているが、他の中段抽斗４０や下段抽斗５０をプッシュオープン式の抽斗としてもよい。例えば、中段抽斗４０をプッシュオープン式の抽斗とし、その上下の抽斗３０，５０を非プッシュオープン式の抽斗とした場合には、両側板１１，１１の切欠状凹部１２，１２を、下方に向く段壁面を更に備えた前方開口の形状としてもよい。また、この場合は、各カバー部材２０，２０に、下方に向く各段壁面を覆う段壁カバー部をそれぞれに設けるようにしてもよい。
【符号の説明】
【００４５】
１        収納家具本体（収納家具装置）
１０      収納箱体
１１      側板
１１ｂ    内側面（一側面）
１２      切欠状凹部
２０      カバー部材
２２      凹所
２３      前端縁カバー部
２５      段壁縁カバー部
２６      パッキン
２９      止具
３０      上段抽斗（第１抽斗）
３１      前板
３６      押出機構
４０      中段抽斗（抽斗）
５０      下段抽斗（抽斗）
【図１】
0005842156.tif 000002
【図２】
0005842156.tif 000003
【図３】
0005842156.tif 000004
【図４】
0005842156.tif 000005
【図５】
0005842156.tif 000006